(57)【要約】      （修正有）【課題】バブルに冷気、塵埃、臭気が混入するのを防止できる給湯口アダプターを提供する。【解決手段】給湯口アダプターＰは、槽内配置部４を有するアダプター本体と、バブル発生器５と、バブル発生器５にエアーを導入するための吸気回路４７と、一端が吸気回路４７に連結された吸気チューブ７１とを備え、吸気チューブ７１の他端から取り込まれたエアーが吸気チューブ７１および吸気回路４７を介してバブル発生器５に導入されるとともに、エアーを基に、マイクロバブル水を発生させて浴槽内に噴出させる。吸気回路４７における吸気チューブ７１の一端との連結口であるチューブ連結口４６が槽内配置部４の外面に配置され、吸気チューブ７１の他端が浴室内に配置される。【選択図】図４
2015198871.tif 000002
【特許請求の範囲】
【請求項１】
浴槽内に配置される槽内配置部を有するアダプター本体と、前記アダプター本体に組み込まれたバブル発生器と、前記アダプター本体に設けられ、かつ前記バブル発生器にエアーを導入するための吸気回路と、一端が前記吸気回路に連結された吸気チューブとを備え、前記吸気チューブの他端から取り込まれたエアーが前記吸気チューブおよび前記吸気回路を介して前記バブル発生器に導入されるとともに、そのエアーを基に、前記バブル発生器によってマイクロバブルが湯水に混入されたマイクロバブル水を発生させて浴槽内に噴出させるようにした給湯口アダプターであって、
前記吸気回路における前記吸気チューブの一端との連結口であるチューブ連結口が前記槽内配置部の外面に配置され、
前記吸気チューブの他端が浴室内に配置されるようにしたことを特徴とする給湯口アダプター。
【請求項２】
前記吸気チューブの一端が前記チューブ連結口に着脱自在に取り付けられている請求項１に記載の浴槽用給湯口アダプター。
【請求項３】
前記槽内配置部における周側壁に前記チューブ連結口が配置されている請求項１または２に記載の浴槽用給湯口アダプター。
【請求項４】
前記吸気チューブの他端に、その他端を浴室内の壁面に着脱自在に取り付けるための取付手段が設けられている請求項１〜３のいずれか１項に記載の浴槽用給湯口アダプター。
【請求項５】
前記槽内配置部の前面に、前記バブル発生器によるマイクロバブル水の発生を許容するバブル発生モードと、マイクロバブルの発生を禁止するバブル禁止モードとの間で切替操作自在な切替レバーが設けられ、
前記切替レバーが、バブル発生モードでは前記チューブ連結口に対応する位置に配置されるとともに、バブル禁止モードでは前記チューブ連結口に非対応の位置に配置されるようになっている請求項１〜４のいずれか１項に記載の浴槽用給湯口アダプター。
【請求項６】
前記吸気チューブの他端にはコントローラが設けられ、
前記コントローラは、操作部と、前記吸気チューブの他端から取り込まれるエアーの取込量を変更するためのエアー取込量可変機構とを備え、
前記操作部の操作に基づいて、前記エアー取込量可変機構によって前記吸気チューブへのエアーの取込量が調整されるようになっている請求項１〜５のいずれか１項に記載の浴槽用給湯口アダプター。
【請求項７】
前記操作部は回転操作自在なダイアルによって構成されている請求項６に記載の浴槽用給湯口アダプター。
【請求項８】
前記操作部は、その操作力が前記エアー取込量可変機構に伝わる状態と、伝わらない状態との間で切換自在に構成されている請求項６または７に記載の浴槽用給湯口アダプター。
【発明の詳細な説明】
【技術分野】
【０００１】
この発明は、マイクロバブル等の微細気泡を発生する機構が内蔵された浴槽用給湯口アダプターに関する。
【背景技術】
【０００２】
近年においては、浴槽内のお湯に直径数十μｍ以下の微細気泡であるマイクロバブル（ナノバブルも含む）を発生させて入浴するという入浴方法が、温浴効果、マッサージ効果、ダイエット効果、リラックス効果等を格段に向上させるという報告が多く寄せられており、注目されている。
【０００３】
浴槽内にマイクロバブルを発生させる装置としては例えば、特許文献１に示すマイクロバブル発生機能付きの追焚装置が周知である。
【０００４】
この追焚装置は、浴槽に設置される給湯口アダプターと、室外に設置される室外給湯機と、給湯口アダプターおよび室外給湯機間に湯水を循環させる循環路とを備え、浴槽内の湯水を室外給湯機に吸い込んで加熱した後、その湯水を給湯口アダプターから浴槽内に吐出するように温水を循環させることにより、追焚処理を行うようにしている。さらに給湯口アダプターの内部にバブル噴出ノズルが組み込まれており、必要に応じて、バブル噴出ノズルからマイクロバブルが混入されたお湯（マイクロバブル水）を浴槽内に噴出させて、浴槽内にマイクロバブルを発生させるようにしている。
【０００５】
このようなバブル発生装置（給湯口アダプター）においては、アダプターにマイクロバブル発生用にエアー（外気）を供給するための吸気チューブを備えている。この吸気チューブの一端は給湯口アダプターのバブル発生ノズルに接続されるとともに、他端のエアー取込部は室外給湯機等の室外に設置されている。そして、吸気チューブの他端から取り込まれた室外のエアーが吸気チューブを通ってアダプター内に供給されて、そのエアーがアダプター内においてマイクロバブルとしてお湯に混入され、そのマイクロバブル水が浴槽内に噴出されるようになっている。
【先行技術文献】
【特許文献】
【０００６】
【特許文献１】特許第４８８７０５５号
【発明の開示】
【発明が解決しようとする課題】
【０００７】
しかしながら、上記特許文献１に示すような従来の給湯口アダプターは通常、吸気チューブの他端のエアー取込部が屋外等の室外に配置されているため、室外の低温のエアー（冷気）が吸気チューブに取り込まれて、その冷気によるマイクロバブルが混入されたマイクロバブル水が浴槽内に噴出されてしまう。このため浴槽内の水温が低下してしまうおそれがあった。
【０００８】
さらに吸気チューブのエアー取込部が屋外等に配置されていると、エアー取込部からエアーと共に塵埃や臭気も取り込まれて浴槽内に吐出されるため、浴槽内が塵埃によって汚染されたり、浴室内に不快な臭気が漂うようになり、快適な入浴環境を得ることができない、という課題もあった。
【０００９】
また上記従来の給湯口アダプターにおいては、吸気チューブの多くの部分が露出されないように床下や壁裏等に施工されるとともに、吸気チューブの長さも長くなるため、吸気チューブの設置自体が困難であるばかりか、保守点検も困難であり、故障時の修理や交換等も面倒である、という課題もあった。
【００１０】
その上さらに従来の給湯口アダプターにおいては場合によって、浴槽内の湯水がバブル発生ノズルから流入して吸気チューブを逆流し、吸気チューブの他端（エアー取込部）から室外に放出されてしまう。そうすると、湯水の放出部周辺が水分や湿気により、汚染されてしまう、という課題も抱えている。
【００１１】
この発明は、上記の課題に鑑みてなされたものであり、浴槽内への冷気の吐出や、塵埃や臭気による浴室内の汚染、湯水逆流時の不具合を防止できる上さらに、吸気チューブの保守点検が容易で修理や交換を簡単に行えるマイクロバブル発生機能付きの給湯口アダプターを提供することを目的とする。
【課題を解決するための手段】
【００１２】
上記目的を達成するため、本発明は以下の構成を要旨とするものである。
【００１３】
［１］浴槽内に配置される槽内配置部を有するアダプター本体と、前記アダプター本体に組み込まれたバブル発生器と、前記アダプター本体に設けられ、かつ前記バブル発生器にエアーを導入するための吸気回路と、一端が前記吸気回路に連結された吸気チューブとを備え、前記吸気チューブの他端から取り込まれたエアーが前記吸気チューブおよび前記吸気回路を介して前記バブル発生器に導入されるとともに、そのエアーを基に、前記バブル発生器によってマイクロバブルが湯水に混入されたマイクロバブル水を発生させて浴槽内に噴出させるようにした給湯口アダプターであって、
前記吸気回路における前記吸気チューブの一端との連結口であるチューブ連結口が前記槽内配置部の外面に配置され、
前記吸気チューブの他端が浴室内に配置されるようにしたことを特徴とする給湯口アダプター。
【００１４】
［２］前記吸気チューブの一端が前記チューブ連結口に着脱自在に取り付けられている前項１に記載の浴槽用給湯口アダプター。
【００１５】
［３］前記槽内配置部における周側壁に前記チューブ連結口が配置されている前項１または２に記載の浴槽用給湯口アダプター。
【００１６】
［４］前記吸気チューブの他端に、その他端を浴室内の壁面に着脱自在に取り付けるための取付手段が設けられている前項１〜３のいずれか１項に記載の浴槽用給湯口アダプター。
【００１７】
［５］前記槽内配置部の前面に、前記バブル発生器によるマイクロバブル水の発生を許容するバブル発生モードと、マイクロバブルの発生を禁止するバブル禁止モードとの間で切替操作自在な切替レバーが設けられ、
前記切替レバーが、バブル発生モードでは前記チューブ連結口に対応する位置に配置されるとともに、バブル禁止モードでは前記チューブ連結口に非対応の位置に配置されるようになっている前項１〜４のいずれか１項に記載の浴槽用給湯口アダプター。
【００１８】
［６］前記吸気チューブの他端にはコントローラが設けられ、
前記コントローラは、操作部と、前記吸気チューブの他端から取り込まれるエアーの取込量を変更するためのエアー取込量可変機構とを備え、
前記操作部の操作に基づいて、前記エアー取込量可変機構によって前記吸気チューブへのエアーの取込量が調整されるようになっている前項１〜５のいずれか１項に記載の浴槽用給湯口アダプター。
【００１９】
［７］前記操作部は回転操作自在なダイアルによって構成されている前項６に記載の浴槽用給湯口アダプター。
【００２０】
［８］前記操作部は、その操作力が前記エアー取込量可変機構に伝わる状態と、伝わらない状態との間で切換自在に構成されている前項６または７に記載の浴槽用給湯口アダプター。
【発明の効果】
【００２１】
発明［１］の浴槽用給湯口アダプターによれば、吸気チューブのエアー取込部をなす他端を浴室内に配置しているため、浴室内の暖気をマイクロバブル用のエアーとして取り込むことができ、冷気の取込による浴槽水の温度低下を防止することができる。さらに吸気チューブから屋外等の塵埃や臭気が取り込まれることがなく、塵埃や臭気による汚染も有効に防止できて、快適な入浴環境を得ることができる。また吸気チューブを浴室内に露出状態に配置できるため、吸気チューブを簡単に設置できるとともに、保守点検も容易であり、故障時の修理や交換も簡単に行うことができる。さらに浴槽内の湯水が吸気チューブを逆流して他端から放出されたとしても、その放出水は浴室内に流出されるだけであり、何ら不具合が発生するようなことはない。
【００２２】
発明［２］の浴槽用給湯口アダプターによれば、入浴時以外等の不必要時に、吸気チューブをアダプター本体から取り外すことができ、例えば吸気チューブの存在を気にすることなく、浴槽の清掃を行うことができる。
【００２３】
発明［３］の浴槽用給湯口アダプターによれば、吸気チューブを浴槽内壁面に沿わせて収まり良く配置でき、良好な美観を得ることができる。
【００２４】
発明［４］の浴槽用給湯口アダプターによれば、吸気チューブの他端を浴室内の所望の位置に取り付けることができ、使い勝手が良く汎用性を向上させることができる。
【００２５】
発明［５］の浴槽用給湯口アダプターによれば、ユーザーは、切替レバーをどの位置に設定すれば、マイクロバブルを発生できるか否かを簡単かつ正確に把握でき、操作レバーの誤操作を確実に防止することができる。
【００２６】
発明［６］の浴槽用給湯口アダプターによれば、エアーの取込量を調整できるため、入浴者に好み等に合わせて適切な量のマイクロバブルを浴槽内に発生させることができる。
【００２７】
発明［７］の浴槽用給湯口アダプターによれば、ダイアル操作によって簡単にエアーの取込量を調整することができる。
【００２８】
発明［８］の浴槽用給湯口アダプターによれば、操作不可状態に設定しておけば、子供達のいたずらや、入浴者による無意識の操作部への接触等によって、エアー取込量が変動することがないため、浴槽内でのバブル発生量の予期せぬ変動を確実に防止することができる。
【図面の簡単な説明】
【００２９】
【図１】図１はこの発明の実施形態である浴槽用給湯口アダプターが取り付けられた浴槽周辺を示す斜視図である。
【図２】図２は実施形態の給湯口アダプターを分解して示す斜視図である。
【図３】図３は実施形態の給湯口アダプターを示す正面断面図である。
【図４】図４は実施形態の給湯口アダプターを示す側面断面図である。
【図５】図５は実施形態の給湯口アダプターを分解して示す側面断面図である。
【図６】図６は実施形態の給湯口アダプターにおけるフィルター部材付きの仕切部材を示す正面図である。
【図７】図７は実施形態の給フィルター部材付きの仕切部材を示す下面図である。
【図８】図８は実施形態の給湯口アダプターにおける仕切部材を示す正面図である。
【図９】図９は図８のIX−IX断面図であって、実施形態の仕切部材における吸込室の部分で切断した側面断面図に相当する。
【図１０】図１０は実施形態の給湯口アダプターに適用された吸気ユニットを示す図であって、図（ａ）は斜視図、図（ｂ）は下面図である。
【図１１】図１１はこの発明の給湯口アダプターにおける変形例の吸気ユニットを操作許容状態で示す正面図である。
【図１２】図１２は変形例の吸気ユニットを操作不可状態で示す正面図である。
【図１３】図１３は変形例の吸気ユニットに適用されたダイアルを示す側面図である。
【発明を実施するための形態】
【００３０】
図１はこの発明の実施形態である給湯口アダプターＰが施工された浴槽Ｔの周辺を示す斜視図である。同図に示すように、本実施形態の給湯口アダプターＰは、バブル発生機能を有しており、室外の給湯機から供給された湯水を浴槽Ｔ内に供給する湯はり処理、浴槽内の湯水を吸い込んで室外の給湯機に送り、そこで再加熱して高温のお湯を浴槽内に戻す追焚処理の他に、浴槽内の湯水に、マイクロバブル（ナノバブルも含む）が混入された湯水（マイクロバブル水）を噴出して浴槽内にマイクロバブルを発生させるバブル発生処理を行うことができる。
【００３１】
なお、本明細書においては、給湯口アダプターＰの軸心方向に沿って浴槽に対して内側（図６の左側）を「前側」または「正面側」とし、浴槽Ｔに対して外側（図６の右側）を「後側」または「裏面側」として説明する。
【００３２】
図２〜図７は実施形態の給湯口アダプターＰを説明するための図である。図１〜図７に示すように、本実施形態の給湯口アダプターＰは、浴槽Ｔの壁部Ｗに設けられた取付孔Ｈ（図４参照）に組み付けられる。この給湯口アダプターＰは、アダプター本体１０と、アダプター本体１０の槽内配置部４に着脱自在に取り付けられるフィルター部材（カバー部材）９と、アダプター本体１０にエアー（外気）を供給するための吸気装置７とを基本的な構成要素として備えている。
【００３３】
アダプター本体１０は、槽外取付部材１と、雄ねじ部材２と、仕切部材３とを備えている。換言すると本実施形態において、アダプター本体１０には、吸気装置７と、フィルター部材９とが含まれてない。
【００３４】
図２，図４および図５等に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の後端閉塞壁に設けられる管状の往き管接続部１ａおよび戻り管接続部１ｂとを有している。
【００３５】
内筒部１１の内部空間は、後述の往き回路Ａの一部として構成されるとともに、内筒部１１および外筒部１２間の環状空間は、後述の戻り回路Ｂの一部として構成されている。この槽外取付部材１において、往き管接続部１ａは往き回路Ａとしての内筒部１１の内部空間に連通されるとともに、戻り管接続部１ｂは、戻り回路Ｂとしての内筒部１１および外筒部１２間の環状空間に連通されている。
【００３６】
外筒部１２の前部内周面には、雄ねじ部材２をねじ込んで固定するための雌ねじが刻設されている。
【００３７】
雄ねじ部材２は、前後両端が開放された円筒形状を有し、前端外周には、平板リング状のフランジ部２５が一体に形成されている。
【００３８】
雄ねじ部材２の外周側面には、上記槽外取付部材１における外筒部１２の雌ねじに対応して、雄ねじが刻設されている。
【００３９】
そして、槽外取付部材１のフランジ部１５が、浴槽外壁面における取付孔Ｈの周縁部に沿うように配置された状態で、雄ねじ部材２のフランジ部２５が浴槽内壁面における取付孔Ｈの周縁部に圧接されるようにして、雄ねじ部材２が浴槽壁部Ｗの取付孔Ｈを通じて、槽外取付部材１の外筒部１２内にねじ込まれて固定される。これにより両部材１，２のフランジ部１５，２５によって、浴槽壁部Ｗにおける取付孔Ｈの周縁部が挟持されて、両部材１，２が浴槽壁部Ｗに貫通状態に組み付けられる。
【００４０】
図４および図５に示すように、仕切部材３は、軸心方向（前後方向）に延びる円筒形状の円筒部３０と、その円筒部３０の前端部に設けられた略円盤状ないし略ドラム状の槽内配置部４とを有している。
【００４１】
この仕切部材３が、浴槽壁部Ｗに固定された上記槽外取付部材１および雌ねじ部材２に固定される。すなわち仕切部材３の円筒部３０が雄ねじ部材２に挿入されて槽外取付部材１の内筒部１１に連通接続された状態で、仕切部材３の槽内配置部４における裏面側が雄ねじ部材２のフランジ部２５に固定されている。
【００４２】
この組付状態において、仕切部材３における円筒部３０の内側が、槽外取付部材１の内筒部１１の内側に連通接続される。さらに円筒部３０および雄ねじ部材２間の環状空間が、槽外取付部材１の内筒部１１および外筒部１２間の環状空間に連通接続される。
【００４３】
ここで本実施形態においては、槽外取付部材１の内筒部１１の内側と、仕切部材３の円筒部３０とによって往き回路Ａが構成されている。さらに槽内取付部材１の内筒部１１および外筒部１２間の環状空間と、円筒部３０および雄ねじ部材２間の環状空間とによって戻り回路Ｂが構成されている。
【００４４】
仕切部材３の槽内配置部４の内部における一側部（左側部）には吐出室４１（図３参照）が形成されるとともに、槽内配置部４の内部における他側部（右側部）には吸込室４２（図４および図５参照）が形成されている。
【００４５】
仕切部材３の槽内配置部４における周側壁の下部両側には、第１吐出口４１ａおよび第２吐出口４２ａが形成されている（図７参照）。上記吐出室４１は、第１吐出口４１ａを介して浴槽内に連通（開放）されるとともに、吸込室４２は、第２吐出口４２ａを介して浴槽内に連通（開放）されている。さらに図８に示すように槽内配置部４内における吸込室４２の前方には、吸込室４２と連通する前室４４が設けられるとともに、槽内配置部４の前壁には、前室４４に対応して、多数の小孔によって構成される吸込口４２ｂが形成されている。そして吸込室４２は、吸込口４２ｂおよび前室４４を介して浴槽内に連通（開放）されている。
【００４６】
また吸込室４２内には、第２吐出口４２ａに対応して吐出弁４ａが設置されるともに、吸込室４２および前室４４間の連通部には吸込弁４ｂが設置されている。吐出弁４ａは吸込室４２から浴槽内への湯水の吐出を許容し、かつ浴槽内から吸込室４２への湯水の吸込を禁止する逆止弁によって構成されている。吸込弁４ｂは前室４４側（浴槽側）から吸込室４２への湯水の吸込を許容し、かつ吸込室４２から前室４４側（浴槽側）への湯水の吐出を禁止する逆止弁によって構成されている。
【００４７】
仕切部材３における槽内配置部４には、バブル発生器としてのバブル発生ノズル５が取り付けられている。このバブル発生ノズル５は、先端にバブル噴出口５０が設けられており、このバブル噴出口５０が前方に突出するように配置されている。
【００４８】
仕切部材３における吸込室４２と戻り回路Ｂとは連通されている。そして後述の追焚時やバブル発生時においては、浴槽内の湯水が吸込口４２ｂを介して吸込室４２内に取り込まれて、戻り回路Ｂを通って槽外取付部材１の戻り管接続部１ａから流出されるようになっている。
【００４９】
また図４および図５に示すように仕切部材３における吐出室４１と往き回路Ａとは切替弁４５を介して連通されるとともに、バブル発生ノズル５内と往き回路Ａとは切替弁４５を介して連通されている。そして切替弁４５が切り替わることによって、吐出室４１および往き回路Ａ間が連通される追焚／湯はりモード（バブル禁止モード）と、バブル発生ノズル５および往き回路Ａ間が連通されるバブル発生モードとの２つのモードのいずれか一方を選択的に設定できるようになっている。
【００５０】
本実施形態において、追焚／湯はりモードでは、槽外取付部材１の往き管接続部１ａから往き回路Ａ内に導入された湯水は、往き回路Ａを通って吐出室４１に導入されて第１吐出口４１ａから浴槽内に吐出されるようになっている。なおこの追焚／湯はりモードでは、往き回路Ａからバルブ発生ノズル５内に湯水が導入されないようになっている。
【００５１】
またバブル発生モードでは、槽外取付部材１の往き管接続部１ａから往き回路Ａ内に導入された湯水は、往き回路Ａを通ってバブル発生ノズル５内に導入されるようになっている。なおこのバブル発生モードでは、往き回路Ａから吐出室４１内に湯水が導入されないようになっている。
【００５２】
一方、仕切部材３の前面側における一側上部（左側上部）には、上記切替弁４５を切替操作するための切替レバー５５が設けられている。この切替レバー５５は、図６に示すように上端に対応する位置（時計にたとえると１２時の位置）と、図８に示すように上端から少し一端側（左側）に変位した位置（１０時の位置）との間で回転操作ないしスライド操作自在に構成されている。そして切替レバー５５を図８に示す左側の位置（１０時の位置）に移動させた際には、追焚／湯はりモード、つまり往き回路Ａが吐出室４１に連通されるように切替弁４５が切り替えられるようになっている。さらに切替レバー５５を左寄り（１０時の位置）から図６に示す上端位置（１２時の位置）に移動させた際には、バブル発生モード、つまり往き回路Ａがバブル発生ノズル５内に連通されるように切替弁４５が切り替えられるようになっている。
【００５３】
図３〜図５に示すように、仕切部材３における槽内配置部４には、上端が槽内配置部４の周側壁上端に開口し、かつ下端がバブル発生ノズル５内に開口する吸気回路４７が設けられている。この吸気回路４７の上端開口は、チューブ連結口４６として構成されており、このチューブ連結口４６から導入されたエア−は、吸気回路４７を通ってバブル発生ノズル５内に導入されるようになっている。
【００５４】
また吸気回路４７のチューブ連結口４６の内側には、接続パイプ４８が固定されており、後述するように吸気チューブ７１の一端をチューブ連結口４６に差し込んだ際に、吸気チューブ７１の一端内が接続パイプ４８に外嵌することにより、吸気チューブ７１の一端が吸気回路４７のチューブ連結口４６に安定状態で連結できるようになっている。
【００５５】
図３，図４および図１０に示すように、吸気装置７は、吸気チューブ７１と、吸気ユニット（吸気ボックス）７２とを備えている。
【００５６】
吸気チューブ７１は、柔軟性ないし弾力性を有する軟質合成樹脂や合成ゴム等によって構成されている。この吸気チューブ７１の一端（下端）が、既述したように仕切部材３における槽内配置部４のチューブ連結口４６に上記接続パイプ４８を介して着脱自在に挿着されている。
【００５７】
吸気ユニット７２は、基板７３と、基板７３の表面側を覆うように着脱自在に取り付けられ、かつ裏面側が開放された箱型のカバー部材７４とを備えている。
【００５８】
基板７３の裏面側には、吸盤７５が取り付けられており、この吸盤７５によって吸気ユニット７２は、浴室内において、壁面に着脱自在に吸引吸着できるようになっている。
【００５９】
本実施形態においては、この吸盤７５が吸気チューブ７１の他端を浴槽内に着脱自在に取り付けるための取付手段として構成されている。また本発明において、浴室内の壁面という場合、浴室を構成する周壁の内面の他に、浴室に設置される窓の内面、収納棚の背板面、鏡面、ドアの内面、さらには浴槽（バスタブ）Ｔ自体の内外壁面も含まれる。
【００６０】
基板７３の表面には、チューブ連結具７６が固定されている。このチューブ連結具７６には上向きに開口するフィルター設置凹部７６１が形成されており、この凹部７６１内にエアーフィルター７７が嵌め込まれて取り付けられている。さらにチューブ連結具７６には下向きに突出し、かつ内部が上記フィルター設置凹部７６１内に連通するチューブ連結パイプ７６２が形成されている。そして、このチューブ連結パイプ６２に上記吸気チューブ７１の他端（上端）が着脱自在に外嵌されている。これにより吸気チューブ７１の他端開口がエアーフィルター７７を介して吸気ユニット７２内に開放されている。
【００６１】
なお、吸気ユニット７２におけるカバー部材７４の下壁には、吸気チューブ７１との干渉を避けるための切欠部７４１が形成されている。そしてこの切欠部７４１と、基板７３に設けられた吸盤取付用の切欠部７３１とによって、吸気ユニット７２の外側のエアーを内側に取り込むことができるようになっている。
【００６２】
こうして切欠部７３１，７４１から吸気ユニット７２内に取り込まれたエアーは、エアーフィルター７７を通過して吸気チューブ７１内に導入されるとともに、そのエアーが吸気チューブ７１を通って槽内配置部４の吸気回路４７内に導入されるようになっている。
【００６３】
図２〜図７に示すように、フィルター部材９は、後端が開放されたドラム状ないし円盤状の形状を有し、仕切部材３の槽内突出部４の前面から周側面を覆った状態で仕切部材３に着脱自在に取り付けられている。
【００６４】
フィルター部材９の前壁には、仕切部材３の切替レバー５５の操作領域に対応して操作レバー用開口部９５が形成されており、開口部９５を介して切替レバー５５が前面側に露出されている。これによりフィルター部材９を仕切部材３に装着した状態で、切替レバー５５を追焚／湯はりモード（バブル禁止モード）と、バブル発生モードとの間で切替操作可能になっている。
【００６５】
さらにフィルター部材９の前壁には、バブル発生ノズル５に対応して、リング部材９６が貫通状態に取り付けられており、このリング部材９６の中央貫通孔を介してバブル発生ノズル５の噴出口５０が前方に開放されている。これによりバブル発生ノズル５の噴出口５０から噴出されるマイクロバブル水がリング部材９６の貫通孔を通って浴槽内に噴出されるようになっている。
【００６６】
またフィルター部材９の前壁には、多数の小孔からなる吸込口９ｂが形成されている。これにより、浴槽内の湯水は、フィルター部材９の吸込口９ｂ、槽内配置部４の吸込口４ｂおよび前室４４を通って、槽内配置部４の吸込室４２に吸い込まれるようになっている。
【００６７】
さらにフィルター部材９の周側壁には、槽内配置部４の第１および第２吐出口４１ａ，４２ａに対応して、吐出口９ａ，９ａが形成されている（図７等参照）。これにより、槽内配置部４の吐出室４１および吸込室４２内の湯水が、槽内配置部４の吐出口４ａ，４ｂおよびフィルター部材の吐出口９ａ，９ａを介して浴槽内に吐出されるようになっている。
【００６８】
またフィルター部材９の周側壁の上端部には、仕切部材３のチューブ連結口４６に対応して後側に開放したスリット９１が形成されており、チューブ連結口４６に連結された吸気チューブ７１にフィルター部材９が干渉しないようになっている。さらに仕切部材３に吸気チューブ７１を連結したままの状態であっても、吸気チューブ７１をスリット９１に挿通させることによって、フィルター部材９を仕切部材３に取り付けることができるようになっている。
【００６９】
なお本実施形態において、給湯口アダプターＰを構成する各部品の接合部には、必要に応じて、水密を図るためにパッキン等の水密部材が適宜介在されている。
【００７０】
以上の構成の給湯口アダプターＰは、室外給湯機に配管接続される。すなわち給湯口アダプターＰの往き管接続部１ａおよび戻り管接続部１ｂが、往き側外管（往き管）および戻り側外管（戻り管）を介して給湯機の給湯管部および吸込管部に接続される。こうして室外給湯機に配管接続された本実施形態の給湯口アダプターＰにおいては、上述の湯はり処理、追焚処理およびバブル発生処理を行うことができる。なお吸気装置７の吸気ユニット７２は、例えば浴室内壁面における浴槽面よりも高い位置に吸盤７５を介して取り付けられる。
【００７１】
本実施形態の給湯口アダプターＰにおいて、湯はり処理を行う場合には、切替レバー５５を湯はり／追焚モード（図８に示す左側の位置）に設定しておき、給湯機操作用の操作パネル６（図１参照）の「湯はりボタン」を押操作して湯はり処理を実行する。これにより、室外給湯機の給湯管部および給湯管部の双方から、往き側外管および戻り側外管を介して槽外取付部材１の往き管接続部１ａおよび戻り管接続部１ｂにそれぞれお湯が供給される。両接続部１ａ，１ｂに供給された湯水は、往き回路Ａおよび戻り回路Ｂを通って吐出室４１および吸込室４２にそれぞれ供給され、そこから第１吐出口４１ａおよび第２吐出口４２ａ、フィルター部材９の両吐出口９ａ，９ａを通って浴槽内に供給される。このように往き回路Ａ側と戻り回路Ｂ側との２系統で湯水が供給される。
【００７２】
なお給湯機の機種等によっては、シングル搬送で湯はり処理が行われる場合があるが、その場合には、室外給湯機から戻り回路１ｂ側には湯水が供給されず、往き回路１ａ側のみに湯水が供給されて、浴槽内に湯水が供給されることとなる。
【００７３】
追焚処理を行う場合、切替レバー５５を上記と同様、湯はり／追焚モードに設定しておき、操作パネル６の「追焚ボタン」を押操作する。これにより給湯機の吸引作用によって、浴槽内の湯水が、フィルター９の吸込口９ｂ、槽内配置部４の吸込口４２ｂ、前室４４を介して吸込室４２に吸い込まれ、その湯水が戻り回路Ｂ、戻り管接続部１１ｂおよび戻り側外管を通って、給湯機に戻される。さらに給湯機に戻された湯水は再加熱されて、往き側外管、往き回路Ａ等を通って、フィルター部材９の吐出口９ａから浴槽内に供給される。
【００７４】
バブル発生処理を行う場合には、切替レバー５５をバブル発生モード（図６に示す上端の位置）に設定して、往き回路Ａをバブル発生ノズル５側に連通しおき、操作パネル６の「追焚ボタン」を押操作する。これにより上記と同様、浴槽内の湯水が戻り回路Ｂ側を通って給湯機に戻される一方、給湯機から湯水が、往き側外管、往き回路Ａを通ってバブル発生ノズル５に供給されて噴出口５０から噴出される。こうしてバブル発生ノズル５内に水流が発生すると、吸気回路４７内が負圧となりその負圧によって、浴室内のエアーが吸気チューブ７１の他端開口（上端開口）から取り込まれて、吸気チューブ７１および吸気回路４７を通ってバブル発生ノズル５内に導入される。バブル発生ノズル５内に導入されたエアーは、バブル発生ノズル５内においてマイクロバブルとして湯水に混入されて、そのマイクロバブル水がバブル発生ノズル５の噴出口５０から浴槽内に噴出される。これにより浴槽内にマイクロバブルが発生する。
【００７５】
以上の構成の本実施形態の給湯口アダプターＰによれば、マイクロバブル用のエアーを取り込むための吸気チューブ７１のエアー取込部としての他端を、浴室内に配置しているため、浴室内の暖かいエアー（暖気）をマクロバブル用のエアーとして取り込むことができる。このため、この暖気によるマイクロバブルが混入された暖かいマイクロバブル水を浴槽内に供給することができ、冷気によるマイクロバブルが浴槽内に発生して水温が不用意に低下してしまう等の不具合を確実に防止できて、快適な入浴環境を得ることができる。
【００７６】
さらに吸気チューブ７１の他端を浴室内に配置しているため、吸気チューブ７１に、屋外等の室外の塵埃や臭気が取り込まれることはない。従って、塵埃や臭気が混入されたマイクロバブルが浴槽内に供給されるのを防止でき、浴室内において塵埃や臭気による汚染を有効に防止できて、一層快適な入浴環境を得ることができる。
【００７７】
また本実施形態の給湯口アダプターＰによれば、吸気チューブ７１のほぼ全域を浴室内に露出した状態に配置しているため、従来のように吸気チューブを浴室外に引き出すような面倒な作業が不要であり、さらに吸気チューブ７１自体の長さも短くすることができる。このため、吸気チューブ７１を簡単に設置できるとともに、保守点検も容易であり、故障時の修理や交換等も簡単に行うことができる。
【００７８】
また本実施形態の給湯口アダプターＰにおいては、浴槽内の湯水がバブル発生ノズル５内に流入して吸気チューブ７１を逆流したとしても、何ら不具合は発生しない。すなわち、吸気チューブ７１の他端は浴槽内に配置されているため、浴槽内の湯水が吸気チューブ７１を逆流して他端から流出されたとしても、それはただ単に、浴室内において浴槽内の少量の湯水が浴槽外に流出しただけに過ぎず、何ら問題が発生することはない。
【００７９】
また本実施形態の給湯口アダプターＰにおいては、槽内配置部４の周側壁にチューブ連結口４６を形成しているため、吸気チューブ７１の一端を槽内配置部４の周側壁に連結することができ、吸気チューブ７１を浴槽内壁面に沿わせて収まり良く配設できて、良好な美観を確保することができる。特に本実施形態においては、槽内配置部４の周側壁上端に吸気チューブ７１の一端を連結するようにしているため、吸気チューブ７１を垂直上方に向けて直線上に見栄え良く配置でき、一層良好な美観を得ることができる。
【００８０】
さらに本実施形態においては、吸気チューブ７１の他端に設けられた吸気ユニット７２を吸盤７５によって浴室内の壁面に取り付けるようにしているため、吸気ユニット７２を所望の位置に簡単に取り付けることができ、使い勝手が良く汎用性を向上させることができる。
【００８１】
また本実施形態の給湯口アダプターＰにおいては、槽内配置部４の前面に設けられる切替レバー５５の切替位置を、バブル発生時には上端位置とし、バブル禁止時には上端から変位した位置に設定する一方、吸気チューブ７１の一端を槽内配置部４の上端部に連結するようにしている。つまり、切替レバー５５を吸気チューブ７１に対応させる位置に配置すれば（切替レバー５５を吸気チューブ７１と同一線上に配置すれば）、マイクロバブルの発生を許可するバブル発生モードとなるようにしている。このため、入浴者等のユーザーは、切替レバー５５をどの位置に設定すれば、マイクロバブルを発生させることができるか否かを簡単かつ正確に把握することができる。従って入浴者による切替レバー５５の誤操作を確実に防止することができ、例えば追焚処理や湯はり処理を行う際に、謝ってマイクロバブル水を噴出させてしまったり、逆にマイクロバブルを発生させる際に、謝って追焚処理を行ってしまう等の不具合を確実に防止することができる。
【００８２】
なお本実施形態においては、バブル発生モードの切替レバー５５の位置を、ユーザーにとって最も覚えやすい上端位置（レバー５５が垂直な状態）に設定しているため、この点においても、マイクロバブル発生時の切替レバー５５の位置を勘違いしてしまうことがなく、誤操作をより確実に防止することができる。
【００８３】
また本実施形態においては、吸気チューブ７１を槽内配置部４に着脱自在に取り付けているため、風呂蓋設置時等の不要時に、吸気チューブ７１を槽内配置部４から取り外しておけば、吸気チューブ７１に干渉させずに、風呂蓋を難なく設置できるとともに、浴槽Ｔの清掃時に吸気チューブ７１が邪魔になるようなこともない。
【００８４】
特に本実施形態においては、吸気チューブ７１の他端側に設けられる吸気ユニット７２を吸盤７５によって浴槽内面に着脱自在に取り付けるようにしているため、吸気チューブ７１および吸気ユニット７２等の吸気装置７全体を取り外しておけば、浴室の清掃等をより一層効率良く行うことができる。
【００８５】
また本実施形態の給湯口アダプターＰによれば、マイクロバブル発生機能のない既存の給湯口アダプターＰを利用して、簡単に施工することができる。すなわち本実施形態では、バブル発生用の機構を仕切部材３に組み込むとともに、吸気装置７を浴室内に設置するようにしているため、既存の給湯口アダプターに替えて本実施形態のようなバブル発生機能付きの新たな給湯口アダプターＰを組み付ける場合、既存の給湯口アダプターの槽外取付部材や雄ねじ部材を取り外さずにそのまま設置しておき、それらの部材に、新たな仕切部材３、吸気装置７およびフィルター部材９を組み付けるだけで、本実施形態の給湯口アダプターＰとして使用することができる。このため、槽外取付部材の取付／取外作業の他に、吸気チューブを槽外に引き出して床下や壁裏に敷設するような面倒な作業が不要となり、給湯口アダプターＰを簡単かつ確実に組み付けることができる。その上さらに、往き側外管や戻り側外管等の外管や、室外給湯機は既存のものをそのまま利用することができ、これらの設置する大規模な作業も不要となり、給湯口アダプターＰをより一層簡単に組み付けることができる。
【００８６】
図１１および図１２はこの発明の浴槽用給湯口アダプターに適用された吸気装置１０７の変形例を示す正面図である。同図に示すようにこの吸気装置１０７は、吸気チューブ７１と、コントローラとしても機能する吸気ユニット１７２とを備えている。
【００８７】
吸気ユニット１７２には、ダイアル設置用開口部１７３が設けられるとともに、その開口部１７３には、軸心が図１１の左右方向に延びる軸部１７４が軸心回りに回転自在に取り付けられている。
【００８８】
この軸部１７４は、開口部１７３内における一側部（右側部）にスプライン歯１７５が形成されるとともに、他側部（左側部）はスプライン歯がなく、円形断面に形成されている。
【００８９】
また軸部１７４には、操作部としてのダイアル１７７が軸部１７４の軸心方向に沿ってスライド自在に外嵌された状態に取り付けられている。図１３に示すようにこのダイアル１７７の軸部挿入用貫通孔１７８には、軸部１７４のスプライン歯１７５に係合可能なスプライン溝１７９が形成されている。
【００９０】
軸部１７４は、開口部１７３内における一側部（右側部）にスプライン歯１７５が形成されるとともに、他側部（左側部）はスプライン歯がなく、円形断面に形成されている。
【００９１】
また軸部１７４には、操作部としてダイヤル１７７が設けられている。図１３に示すようにこのダイアル１７７には、その中央に貫通孔１７８が形成されており、その貫通孔１７８に軸部１７４が挿入されるようにして、ダイアル１７７が軸部１７４に軸心方向にスライド自在に取り付けられている。さらにダイアル１７７の貫通孔１７８には、軸部１７４のスプライン歯１７５に係合可能なスプライン溝１７９が形成されている。
【００９２】
そして図１１に示すように、ダイアル１７７を軸部１７４に沿って右方向にスライドさせると、スプライン溝１７９がスプライン歯１７５に係合して、ダイアル１７７の回転力が軸部１７４に伝達するようになっている。従ってこの状態（操作許容状態）では、ダイアル１７７を回転操作すれば軸部１７４が回転するようになっている。さらに図１２に示すように、ダイアル１７７を軸部１７４に沿って左方向にスライドさせと、スプライン溝１７９がスプライン歯１７５から抜け出して、ダイアル１７７の操作力が軸部１７４に伝達されないようになっている。従ってこの状態（操作不可状態）では、ダイアル１７７が軸部１７４に対し空回するため、ダイアル１７７を回転操作しても、軸部１７４が回転しないようになっている。つまり本実施形態においては、ダイアル１７７は、操作許容状態と操作不可状態との間で切換自在に構成されている。
【００９３】
また、吸気ユニット１７２内には、吸気チューブ７１の他端開口部に取り付けられたエアー取込量可変機構１７６が設けられている。このエアー取込量可変機構１７６は、上記軸部１７４の回転動作に基ついて、吸気チューブ７１の他端開口部から取り込まれるエアーの取込量を変更できるようになっている。従って、ダイアル１７７を操作許容状態に設定して回転操作して、軸部１７４を回転させることによって、吸気チューブ７１の他端からのエアー取込量を調整できるようになっている。なお言うまでもなく、ダイアル１７７を操作不可状態に設定していると、ダイアル１７７が空回りするだけで、エアー取込量を調整できないようになっている。
【００９４】
また吸気チューブ７１は、上記実施形態と同様に、アダプター本体のチューブ連結口に連結されている。
【００９５】
この変形例の給湯口アダプターにおいて他の構成は、上記実施形態と同様であるため、重複説明は省略する。
【００９６】
この変形例の給湯口アダプターにおいても、上記と同様に同様の効果を得ることができる。
【００９７】
その上さらにこの変形例の給湯口アダプターにおいては、ダイアル１７７によってエアーの取込量を調整できるため、入浴者に好み等に合わせて適切な量のマイクロバブルを浴槽内に発生させることができ、より一層快適な入浴環境を得ることができる。
【００９８】
またダイアル操作が必要な時以外には、ダイアル１７７をスライドさせて操作不可状態に設定しておけば、子供達のいたずらや、入浴者の無意識の接触等により、ダイアル１７７が回転操作されたとしても、エアー取込量が変動することがないため、浴槽内でのバブル発生量の予期せぬ変動を確実に防止することができる。
【００９９】
ところで、上記実施形態においては、吸気チューブ７１の一端を槽内配置部４の周側壁に連結するようにしているが、それだけに限られず、本発明においては、吸気チューブの一端を槽内配置部の前壁（前面）に連結するようにしても良い。要は、槽内配置部４の外面であれば、どの位置に吸気チューブの一端を連結できるようにしても良い。
【０１００】
さらに上記実施形態においては、吸気チューブ７１の一端を直接、槽内配置部４のチューブ連結口４６に挿着するようにしているが、それだけに限られず、本発明においては例えば、吸気チューブ７１の一端にワンタッチ固定式の端具を取り付けておき、その端具を槽内配置部４のチューブ連結口に着脱自在に連結するようにしても良い。
【０１０１】
また上記実施形態においては、吸気装置７の吸気ユニット７２を吸盤７５によって浴槽内面に着脱自在に取り付けるようにしているが、本発明において、エアー取付器の取付方法は限定されるものではない。例えば吸気ユニットを磁気（磁石）を利用して浴槽内に吸着するようにしていも良いし、浴槽内面にねじ止めや接着処理等によって固定するようにしても良いし、浴槽内面にフック等を固定し、そのフックに吸気ユニットを係合して取り付けるようにしても良い。さらに本発明においては、吸気ユニットを必ずしも浴槽の内壁面等に固定する必要がなく、吸気ユニットを浴槽内の適当な位置、例えば浴槽壁部の上端面、収納棚等に載置（放置）するようにしても良い。
【産業上の利用可能性】
【０１０２】
この発明の浴槽用給湯口アダプターは、例えば一般家屋の浴槽にバブル発生機能付きの給湯用金具として採用することができる。
【符号の説明】
【０１０３】
４：槽内配置部
４６：チューブ連結口
４７：吸気回路
５：バブル発生ノズル（バブル発生器）
５５：切替レバー
７１：吸気チューブ
７５：吸盤（取付手段）
１０：アダプター本体
１７２：吸気ユニット（コントローラ）
１７６：エアー取込量可変機構
１７７：ダイアル（操作部）
Ｐ：給湯口アダプター
Ｔ：浴槽
【図１】
2015198871.tif 000003
【図２】
2015198871.tif 000004
【図３】
2015198871.tif 000005
【図４】
2015198871.tif 000006
【図５】
2015198871.tif 000007
【図６】
2015198871.tif 000008
【図７】
2015198871.tif 000009
【図８】
2015198871.tif 000010
【図９】
2015198871.tif 000011
【図１０】
2015198871.tif 000012
【図１１】
2015198871.tif 000013
【図１２】
2015198871.tif 000014
【図１３】
2015198871.tif 000015